(57)【要約】【課題】本発明は、書物を読む際に眼が疲れにくく、折り畳みが簡単にできる書見台を提供する。【解決手段】書物全体を支える本体枠と、書面を保持する一対の支持枠と、本体枠に摺動する伸縮枠と、本体枠を支える底枠と、底枠と伸縮枠を着脱可能に接合された背柱枠を具備し、それぞれの枠を接手で接合した構造体からなり、伸縮枠を本体枠の縦軸に沿って摺動させることにより、書物の起立角度を調整させることができ、支持枠に取付けたアームを底枠の両側に取付けた支持枠保持板の係止溝に係合させることにより、書物の見開角度を左右それぞれ独立して調整させることができ、また伸縮枠と背柱枠の接手を外すことにより薄く折り畳めるようにしたものである。【選択図】  図１
2009018084.tif 000002
【特許請求の範囲】
【請求項１】
書物を支える２本の柱からなる縦軸と一対の横軸を備えた本体枠と、本体枠の柱と摺動可能に挿入された伸縮枠と、本体枠の柱と揺動可能に接合され、書面を保持する左右一対の受台を備えた支持枠と、支持枠と揺動可能に接合されたアームと、前側が本体枠の横軸と揺動可能に接合され、複数の係止溝を有する支持枠保持板を両側に設けた底枠と、後側が底枠と揺動可能で、伸縮枠と接合された背柱枠を具備することを特徴とする書見台。
【請求項２】
本体枠と支持枠、支持枠とアーム、本体枠と底枠、底枠と背柱枠、背柱枠と伸縮枠を接手で接合し、同一平面上に展開できることを特徴とする請求項１記載の書見台。
【請求項３】
支持枠に取付けたアームを底枠の両側に設けた支持枠保持板の溝に係合させて、支持枠の見開角度を左右独立して調整できることを特徴とする請求項１記載の書見台。
【請求項４】
伸縮枠と背柱枠の接手が着脱できることを特徴とする請求項１記載の書見台。
【請求項５】
開閉可能に結合され、重ねると内部に空間を形成する上下ケースで、上ケースが背柱枠の代わりをなし、下ケースが底枠の代わりをなすことを特徴とする請求項１記載の書見台。
【請求項６】
書物や新聞を固定する付属品を備えていることを特徴とする請求項１または請求項５記
載の書見台。
【請求項７】
書物の大きさや読む位置に応じて、書物や新聞を読む高さを変えられる補助台を備えていることを特徴とする請求項１または請求項５記載の書見台。
【発明の詳細な説明】
【技術分野】
【０００１】
本発明は、読みやすく持ち運びに便利な書見台に関するものである。
【背景技術】
【０００２】
従来のこの種の書見台は、書物を読みやすくするために、書物の起立角度を可変するものや、書面の付勢を防止する押さえ具を設けて机上で使用するものが多く提案されてきたが、書面を受ける支持部を左右独立して傾斜させ、薄く折り畳めて、見やすく持ち運びを容易にする書見台はなかった。
【０００３】
書物の起立角度を調整する書見台として特許文献１があるが、これは基台に対して引出を出し入れし、係止位置を変えることで、起立角度を段階的に変えられるようにしたもので、左右の書面に対し眼の焦点を合わせやすくするものではなかった。
また、起立角度を無段階に変えられるフーム構造の書見台として特許文献２があるが、これは従来の書見台をフレーム構造にして使いやすくしたもので、
折り畳めて持ち運びを容易にするものではなかった。
【特許文献１】特開平７−３１３２６０
【特許文献２】特表２００４−５０８１５４
【発明の開示】
【発明が解決しようとする課題】
【０００４】
今日、書物を読む機会は多様化し、屋内では机上以外の膝の上やソファーに座った姿勢で、さらには布団やトイレの中で、屋外では公園のベンチや移動する車中などで楽な姿勢で安定して読書のできる書見台が求められている。
【課題を解決するための手段】
【０００５】
書物を支える本体枠と、本体枠に摺動可能に挿入された伸縮枠と、書面を保持する一対の支持枠と、本体枠を支える底枠と、底枠と伸縮枠を着脱可能に接合する背柱枠を、それぞれの接手で接合した構造体からなり、
【０００６】
伸縮枠を本体枠の２本の柱に沿って摺動させることにより、書物の起立角度を調整させることができ、支持枠に取付けたアームを底枠の両側に取付けた支持枠保持板の係止溝に係合させることにより、書物の見開角度を左右それぞれ独立して調整させることができ、また伸縮枠と背柱枠の接合を外すことにより薄く折り畳めるようにした書見台である。
【発明の効果】
【０００７】
請求項１記載の本体枠の２本の柱内に挿入された伸縮枠の位置を調整させることで書物の起立角度を変えられるようにし、支持枠に取付けられたアームの位置を調整させることで書面の見開角度を変えられるようにしたことで、書面と目線の角度をほぼ垂直になるようにできたので、眼の焦点が合わせやすくなり、疲れることなく読書をすることができた。また、眼の焦点を合わせる最適条件は一般に起立角度が６０°〜８０°、見開角度が１１０°〜１８０°、焦点距離が３０ｃｍ〜４０ｃｍとされており、この条件に調整範囲を定めることができた。
【０００８】
請求項２記載のそれぞれの枠を同一平面上に配置させ、接手で接合する構造にしたため、折り畳み厚さを薄くすることができた。
【０００９】
請求項３記載の左右の支持枠にアームを取付け、底枠の両側に複数の溝を有する支持枠
保持板を設けてアームと溝を係合するようにし、書物を受台に載せたまま独立して見開角度を調整するようにできたため、書物と正対していない姿勢でも書面と目線の角度をほぼ直角になるようにできるため、疲れることなく読書をするようにできた。
【００１０】
請求項４記載の伸縮枠と背柱枠の接合を着脱可能な接手で外せるようにしたため、容易
に折り畳むことができた。
【００１１】
請求項５記載の上下ケース内に書見台を格納し、上ケースが背柱枠の代わりをなし、下ケースが底枠の代わりをなすようにしたため、コンパクトで、持ち運びを容易にすることができた。
【００１２】
請求項６記載の書物や新聞を固定する付属品を備えるようにしたため、書見台の構造を簡素化することができた。
【００１３】
請求項７記載の書物の高さを変えられる補助台を備えるようにしたため、書物や新聞を楽な姿勢で読めるようにできた。
【発明を実施するための最良の形態】
【００１４】
伸縮枠を摺動させることにより起立角度を調整し、アームを支持枠保持板に係合させることにより見開角度を調整できる書見台の実施例を示す。
【実施例１】
【００１５】
図１は、本発明の書見台を示す図である。
書物の背部を支える本体枠１０と、書面を保持する一対の支持枠２０と、書物の起立角度を調整する伸縮枠３０と、書面の見開角度を調整するアーム４０と、本体枠１０を下面から支える底枠５０と、底枠５０と伸縮枠３０を連結する背柱枠６０からなる。
【００１６】
本体枠１０と、支持枠２０と、伸縮枠３０と、アーム４０と、底枠５０と、背柱枠６０、および本体枠１０と底枠５０、底枠５０と背柱枠６０を連結する接手５３，５４は軽くて丈夫な軽合金材で、本体枠１０と支持枠２０、支持枠２０とアーム４０、伸縮枠３０と背柱枠６０を連結する接手２４，２５，４３，６１は安価で成形性のよい合成樹脂材で製作されている。また、軽合金材の代わりにスチール材、ステンレス材、合成樹脂材を使用することもできる。
【００１７】
本体枠１０は、２本の柱からなる本体枠縦軸１１，１２と、Ｌ字状に折り曲げられた一対の本体枠横軸１３，１４を備え、本体枠縦軸１１，１２の下端に本体枠横軸１３，１４の上端が挿入固定されている。
【００１８】
支持枠２０は、略コ字状に形成され、両端部が本体枠１０の本体枠縦軸１１，１２と支持枠接手２４，２５により揺動可能に接合されている。支持枠接手２４，２５は、図２に示すように、４本の平行溝を有し、内側の２本溝は本体枠１０の本体枠縦軸１１，１２に圧入固定され、外側の２本溝は支持枠２０の両端部と揺動可能に接合されている。支持枠接手２４には溝に平行して中心部に軸穴２６が設けられている。また支持枠２０の対向する上下軸に架けて、書類や原稿などを載せられ、さらには書物付属品の取付板７１を保持するＵ字状の受台２３が支持枠（左）（右）２１，２２にスポット溶接されている。
【００１９】
伸縮枠３０は、長いコ字状に形成され、両端は本体枠縦軸１１，１２のパイプ内に摺動可能に挿入されている。伸縮枠３０の先端を本体枠縦軸１１，１２から遠ざけると起立角度が小さくなり、近づけると起立角度が大きくなる。起立角度は４５°〜８５°の範囲で調整することができる。また本体枠縦軸１１，１２のパイプ内から伸縮枠３０が抜け出るのを防止するために、ワイヤ３１にリング３２を結合した抜止が支持枠接手２４の軸穴２６を通して伸縮枠３０の先端部に取付けられている。また、図３に示すように、外筒６４と内筒６３からなる伸縮棒６２に、上端は着脱可能な接手６５を、下端は回転可能な接手６６を設けて、底枠５０と本体枠縦軸１１，１２に直接連結させ、外筒６４を回転させることにより内筒６３を軸方向に変化させて起立角度を無段階に可変させることもできる。
【００２０】
アーム４０は、略三角形状に形成され、一端部が支持枠２０に取付けられたアーム接手４３に接合されている。アーム接手４３は、図４に示すように、２本の平行溝を有し、一方の溝はそれぞれの支持枠（左）（右）２１，２２の下軸に圧入固定され、他方の溝はアーム（左）（右）４１，４２の一端部に揺動可能に接合されている。図５に示すように、アーム（左）（右）４１，４２一端部の対面軸が、底枠５０両側の軸方向に離間して複数の係止溝を有する支持枠保持板５２の係止溝と係合させることにより、支持枠２０の見開角度を変えることができる。
【００２１】
底枠５０は、両側枠を中間枠５１で結合した略Ｈ状に形成され、一方の端部は本体枠１０のそれぞれの本体枠横軸１３，１４と、他方の端部は背柱枠６０の端部と、揺動可能に底枠接手（前）（後）５３，５４で接合されている。
【００２２】
背柱枠６０は、長い略コ字状に形成され、先端部は着脱可能に伸縮枠３０の先端部と背柱枠接手６１で接合されている。
【００２３】
図６に示すように、伸縮枠３０と、背柱枠接手６１で接合された長い略コ字状の背柱枠６０を外すことで、全ての枠と接手は同一平面上に載るように構成されている。
【実施例２】
【００２４】
図７は、本発明の他の実施例の書見台を示した図である。この実施例の書見台は、重ねた際に、内部に空間を形成する箱形長方形状の上下ケース内６７，５５に、前述の書見台の本体枠横軸１３，１４を下ケース５５に揺動可能に取付け格納させたものである。
【００２５】
前述の実施例との相違は、上ケース６７が背柱枠６０の代わりを、下ケース５５が底枠５０の代わりをするようになっている。また、上ケース６７には、上下ケース６７，５５の開閉を固定する引掛片６８が取付けられており、これが着脱可能な背柱枠接手６１の代わりをする。また、下ケース５５の両側の側壁には複数の係止溝が設けられており、これが支持枠保持板５２の代わりをする。
【００２６】
本発明の実施例によれば、上ケース６７を開いて、図８に示すように伸縮枠３０を引掛片６８に設けられた楕円穴６９に取付け、アーム４０を側壁の係止溝に係合させ、見開角度と起立角度を調整して、書物を読むことができる。
【実施例３】
【００２７】
図９は、上記実施例に付属品を取付けて書物を読む状態を示した図である。上記の実施例に書物用付属品７０を取付けて書物を読む方法を以下に説明する。
【００２８】
書物用付属品７０は、図１０に示すように、書物を固定する一対の挟み具７５と、書物を支える置台７３を取付けた一対の取付板７１と、取付板７１を開閉可能に結合した背部７２からなり、背部７２に取付けられた凸部７４を本体枠１０の２本の縦軸１１、１２の隙間に差し込み、取付板７１の下端部を受台２３のＵ字状凹部に載せて書見台に固定される。
【００２９】
取付板７１の両側階段形状は、単行本程度の小さいサイズからグラビア雑誌程度の大きなサイズまでの書物に合わせて、下から上に向かって形成されている。書物を取付ける際は、書物をヒンジ結合された置台７３に載せ、書物の背を凹溝７２に落し込み、書物のサイズが取付板の両側階段状と合った位置で、挟み具７５の書物固定クランプを用いて書物の見開き頁と取付板７１の階段形状とを重ね合わせて書物の左右を挟み、安定保持させる。また頁捲りは、挟み具７５の頁クランプを用いて交互に開閉して行う。
【００３０】
図１１は、挟み具７５の詳細を示した図である。図１１（Ａ）に示すように、挟み具７５は書物を取付板７１に固定する固定クランプと頁を固定する頁クランプを備えている。これは頁捲りをする際に固定クランプを弛めると書物が動くのを防止するために、固定クランプを頁クランプと分離している。また挟み具７５を収納ケース内に入れて持ち運びができるように、固定クランプのレバーは折り畳みを可能とするために図１１（Ｂ）に示すように、ｈ寸法を小さくしている。
【実施例４】
【００３１】
図１２は、高さを調整できる補助台９０に前述の書見台を載せ、付属品を取付けて新聞を読む状態を示した図である。前述の実施例に新聞用付属品８０を取付けて新聞を読む方法を以下に説明する。
【００３２】
図１３（Ａ）は、新聞用付属品８０を示す図である。新聞面を支える左右に開閉可能な一対の取付板８１と、新聞の折畳み背部を固定する挟み具８３と、それを案内する凹溝８４と、新聞の捲れを防止する止部８２からなっており、新聞付属品８０の背部に取付けられた凸部８５を本体枠１０の本体枠縦軸１１，１２の隙間に差し込んで書見台に固定される。
【００３３】
取付板の新聞取付面には新聞の折り畳み背部を固定する着脱可能な挟み具８３が上下端に設けられ、挟み具間には新聞の折り曲げ部を落とし込む凹溝８４が設けられている。また取付板の下部には新聞紙が不測に乱れるのを防止するヒンジ結合された止部８２が備えられている。
【００３４】
新聞を取付ける際は、図１３（Ｂ）に示すように、左右の取付板８１を見開き角度３００°近く開き、新聞取付面が上を向くようにし、挟み具８３を取り外して新聞紙の折り畳み背部の両端に差込み挟んだ後に、折り畳み背部を凹溝８４に落とし込みながら上下端の挟み具８３を取付板の背部に弾性力で固定する。図に示していないが、挟み具８３の底面に鉄板を設けて、新聞取付板背部に取付けられた磁石で固定することもできる。
以上、実施例をあげて本発明を詳細に説明した。
【産業上の利用可能性】
【００３５】
１．書物などの起立角度と書面の左右見開角度を独立して調整できるため、眼の焦点があわせやく、疲れない。
２．軽量でコンパクトにできるため、屋内だけでなく屋外でも、読む人の楽な姿勢に合わせて読書をすることができる。
３．書物を読む際に、書物を保持する必要がないので、読む人の両手は道具を持つなり記録するなど自由に使える。
４．ブックケース内に書物や備品などを収納できるので、物を探す手間が省け、忘れることもない。
５．付属品を用いることで、書物に応じた保持が確実にでき、サイズの小さな書物から新聞などの大きな書物まで安定した状態で読むことができる。
【図面の簡単な説明】
【００３６】
【図１】本発明の実施形態１を示す書見台の構成図で、（Ａ）は組立時の図、（Ｂ）は折り畳み時の図。
【図２】上記書見台の支持枠接手を示す図。
【図３】上記書見台に伸縮棒を用いた構成を示す図。
【図４】上記書見台のアーム接手を示す図。
【図５】上記書見台のアームと支持枠保持板の係合動作を示す図。
【図６】上記書見台のそれぞれの枠と接手を同一平面上に展開した構成を示す図。
【図７】本発明の実施形態２を示す書見台のケース内に格納する構成図で、（Ａ）は組立時の図、（Ｂ）は折り畳み時の図。
【図８】上記書見台の伸縮枠をケース引掛片に接合した構成を示す図。
【図９】上記書見台に書物用付属品を取付けた状態を示す図。
【図１０】上記書見台の書物取付板を示す図で、（Ａ）は表図、（Ｂ）は裏図。
【図１１】上記書見台の書物取付板に書物を取付る挟み具を示す図で、（Ａ）は詳細図、（Ｂ）は折り畳み図。
【図１２】上記書見台に新聞用付属品を取付けて新聞を読む状態を示す図。
【図１３】上記書見台の新聞取付板を示す図で、（Ａ）は取付板、（Ｂ）は新聞取付けの状態を示す図。
【符号の説明】
【００３７】
１０  本体枠
１１  本体枠縦軸
１２  本体枠縦軸
１３  本体枠横軸
１４  本体枠横軸
２０  支持枠
２１  支持枠（左）
２２  支持枠（右）
２３  受台
２４  支持枠接手
２５  支持枠接手
３０  伸縮枠
４０  アーム
４１  アーム（左）
４２  アーム（右）
４３  アーム接手
５０  底枠
５２  支持枠保持板
５３  底枠接手（前）
５４  底枠接手（後）
５５  下ケース
６０  背柱枠
６１  背柱枠接手
６７  上ケース
６８  引掛片
７０  書物用付属品
８０  新聞用付属品
９０  補助台
【図１】
2009018084.tif 000003
【図２】
2009018084.tif 000004
【図３】
2009018084.tif 000005
【図４】
2009018084.tif 000006
【図５】
2009018084.tif 000007
【図６】
2009018084.tif 000008
【図７】
2009018084.tif 000009
【図８】
2009018084.tif 000010
【図９】
2009018084.tif 000011
【図１０】
2009018084.tif 000012
【図１１】
2009018084.tif 000013
【図１２】
2009018084.tif 000014
【図１３】
2009018084.tif 000015